(57)【要約】  【課題】  取付け用金具を用いて光アダプタをパネルに貫通状に装着する際に、専用のハウジングを必要とせず、安価でしかもネジ止めを省略して、取付け時のガタツキを確実に防止できるようにすること。  【解決手段】  光アダプタの外面部に配設されパネルに貫通状に装着される光アダプタをパネルに固定する為の光アダプタ取付け用金具４において、連結板部５と、この連結板部５の両端から直角に屈曲されて延びた１対の対向する側板部６，７とを備え、各側板部６，７に、外周枠部６ｂ，７ｂと、この外周枠部６ｂ，７ｂの内側部分を切り起した弾性係止爪６ａ，７ａとを有し、外周枠部６ｂ，７ｂのうちの取付けパネルの貫通孔の内面に対面する対面部分６ｃ，７ｃに、貫通孔の内面の少なくとも一部に弾性的に係合する湾曲状係合部６ｄ，７ｄを夫々形成した。【選択図】  図２
0003111711.tif 000002
【実用新案登録請求の範囲】
【請求項１】
光アダプタの外面部に配設されパネルに貫通状に装着される光アダプタをパネルに固定する為の光アダプタ取付け用金具において、
連結板部と、この連結板部の両端からほぼ直角に屈曲されて延びた１対の対向する側板部とを備え、前記各側板部に、外周枠部と、この外周枠部の上側部分を切り起した弾性係止爪とを有し、
前記外周枠部のうちの前記パネルの貫通孔の内面に対面する対面部分に、前記貫通孔の内面の少なくとも一部に弾性的に係合する湾曲状係合部を形成した、
ことを特徴とする光アダプタ取付け用金具。
【請求項２】
前記湾曲状係合部は、前記外周枠部のうちの湾曲状係合部以外の部分よりも、外側へ膨らんだほぼ「く」字状に形成されたことを特徴とする請求項１に記載の光アダプタ取付け用金具。
【請求項３】
パネルに貫通状に装着される光アダプタにおいて、
前記光アダプタの外面部に配設されて、パネルに貫通状に装着された光アダプタをパネルに固定する為の取付け用金具を設け、
前記取付け用金具は、連結板部と、この連結板部の両端から直角に屈曲されて延びた１対の対向する側板部とを備え、前記各側板部は、外周枠部と、この外周枠部の上側部分を切り起した弾性係止爪とを有し、
前記外周枠部のうちの前記パネルの貫通孔の内面に対面する対面部分に、前記貫通孔の内面の少なくとも一部に弾性的に係合する湾曲状係合部を形成した、
ことを特徴とする光アダプタ。
【請求項４】
前記湾曲状係合部は、前記外周枠部のうちの湾曲状係合部以外の部分よりも、外側へ膨らんだほぼ「く」字状に形成されたことを特徴とする請求項３に記載の光アダプタ。
【請求項５】
パネルに貫通状に装着される光アダプタにおいて、
前記光アダプタの外面部に切り起こし状の弾性係止爪と、
前記光アダプタを前記パネルに貫通状に装着する貫通孔の内面に対面する対面部分に、前記貫通孔の内面の少なくとも一部に弾性的に係合する湾曲状係合部であって前記外面部よりも外側へ膨らんだほぼ「く」字状の湾曲状係合部と、
を一体形成したことを特徴とする光アダプタ。
【考案の詳細な説明】
【技術分野】
【０００１】
本考案は、光アダプタ取付け用金具及び光アダプタに関し、特に光アダプタを取付け用金具を用いてパネルに貫通状に取付けた取付け状態における光アダプタのガタツキを防止できるようにしたものに関する。
【背景技術】
【０００２】
従来、光通信部品としての光コネクタは、光ファイバの端部を夫々保持する、ＳＣ形やＭＵ形の１対のプラグと、これら１対のプラグを対向状に挿入装着可能な１対のプラグ装着孔を有するアダプタとで構成されている。各プラグのフェルールに光ファイバの端部が挿入され、フェルールの端面と光ファイバの端面が面一になるように保持されている。
【０００３】
１対のプラグがアダプタに装着されると、１対のフェルールの端面同士が突き合わされて、１対の光ファイバの端面同士が光学的に接続される。ところで、光アダプタは、例えば、厚さ1.6 mmのアルミ製の取付けパネルに、１列に又は複数列に併設されて貫通状に装着される。この場合、光アダプタの外面部にバネ板製の取付け用金具を取付け、光アダプタを取付け用金具を介してパネルの装着穴に容易に固定できるようにしたものが種々提案されている。
【０００４】
例えば、特許文献１に記載の光アダプタ用取付け金具及び光アダプタは、パネルに貫通状に装着される光アダプタをパネルに固定する為の光アダプタ用取付け金具において、連結板部と、この連結板部の端部から直交方向へ延びる１対の対向する側板部とを備え、各側板部に、その側板部を切り起こした弾性係止爪を形成し、各側板部の端部のうちの弾性係止爪の自由端側の端部から側板部と鋭角をなすように外側へ延び、取付けパネルを弾性係止爪の方へ弾性付勢する弾性係合板部を側板部に一体形成してある。
【０００５】
取付け金具を外面部に配設した光アダプタをパネルの装着穴に貫通状に固定した際に、１対の弾性係止爪と１対の弾性係合板部とでパネルを両側から挟持保持でき、光アダプタをパネルに取付けた際のガタツキを防止するようにしてある。但し、弾性係合板部及び１対のハウジングのフランジ部に夫々ビス孔を形成し、必要に応じて、これらビス孔を挿通させた固定ビスで、光アダプタをパネルにネジ止めするようになっている。
【特許文献１】特開平２００４−４５６２２号公報  （第５〜６頁、図１〜図３）
【考案の開示】
【考案が解決しようとする課題】
【０００６】
前述した特許文献１に記載の光アダプタ用取付け金具及び光アダプタにおいては、１対の側板部を連結板部で連結した取付け金具を光アダプタの外面部に配設し、各側板部に弾性係合板部を一体的に設ける構造上、１対のハウジングのフランジ部が大型化する為、専用のハウジングを新規に作成しなければならず、製品化が困難であり、コスト高になるという問題がある。
【０００７】
また、ハウジングにおけるフランジ部の大型化に伴って、光アダプタの外形寸法が大きくなり、光アダプタをパネルへ取付ける取付け密集度が小さくなるという問題も起こる。更に、パネルに形成した装着孔のビス孔方向の寸法、つまり幅寸法は、装着時に１対の弾性係止爪を通過させる関係上、ハウジングの幅寸法よりも大きくなっているため、１対の弾性係止爪と１対の弾性係合板部とでパネルを両側から挟持保持して、光アダプタをパネルに取付けた際のパネルの厚み方向のガタツキを防止できたとしても、装着孔の幅方向のガタツキを防止するようにはなっていない。
【０００８】
そこで、その幅方向のガタツキを防止するには、取付けビスを用いて光アダプタをパネルにビス止めすることになる。この場合には、幅方向のガタツキを防止することができるが、その反面、取付け工数が増加し、取付け作業の作業能率が低下すること、等の問題が起こる。
【０００９】
本考案の目的は、取付け用金具を用いて光アダプタをパネルに貫通状に装着する際に、専用のハウジングを必要とせず、安価でしかもネジ止めを省略して、取付け時のガタツキを確実に防止できるようにすること、等である。
【課題を解決するための手段】
【００１０】
請求項１の光アダプタ取付け用金具は、光アダプタの外面部に配設されパネルに貫通状に装着される光アダプタをパネルに固定する為の光アダプタ取付け用金具において、連結板部と、この連結板部の両端からほぼ直角に屈曲されて延びた１対の対向する側板部とを備え、各側板部に、外周枠部と、この外周枠部の上側部分を切り起した弾性係止爪とを有し、外周枠部のうちのパネルの貫通孔の内面に対面する対面部分に、貫通孔の内面の少なくとも一部に弾性的に係合する湾曲状係合部を形成したものである。この場合、湾曲状係合部は、１対の側板部のうちの少なくとも１つに形成するようにしてもよい。
【００１１】
光アダプタ取付け用金具は連結板部の両端に１対の対向する側板部を備えており、その取付け用金具を光アダプタの外面部に配設した状態で、光アダプタをパネルに貫通状に装着すると、装着開始時に光アダプタ側に弾性変形された湾曲状係合部が元の切り起こし姿勢に復帰し、その先端がパネルの端面に当接可能に位置するため、光アダプタは、最早、パネルから外れることはない。
【００１２】
この装着状態においては、外周枠部のうちの対面部分がパネルの貫通孔の内面に対面し、その対面部分に形成された湾曲状係合部が貫通孔の内面の少なくとも一部に弾性的に係合するため、その湾曲状係合部により貫通孔と光アダプタとの間の隙間が解消され、光アダプタのパネルに対するガタツキが防止される。
【００１３】
請求項２の光アダプタ取付け用金具は、請求項１の考案において、前記湾曲状係合部は、外周枠部のうちの湾曲状係合部以外の部分よりも、外側へ膨らんだほぼ「く」字状に形成されたものである。
【００１４】
請求項３の光アダプタは、パネルに貫通状に装着される光アダプタにおいて、光アダプタの外面部に配設されて、パネルに貫通状に装着された光アダプタをパネルに固定する為の取付け用金具を設け、取付け用金具は、連結板部と、この連結板部の両端から直角に屈曲されて延びた１対の対向する側板部とを備え、各側板部は、外周枠部と、この外周枠部の上側部分を切り起した弾性係止爪とを有し、外周枠部のうちのパネルの貫通孔の内面に対面する対面部分に、貫通孔の内面の少なくとも一部に弾性的に係合する湾曲状係合部を形成したものである。この場合、湾曲状係合部は、１対の側板部のうちの少なくとも１つに形成するようにしてもよい。
【００１５】
パネルに貫通状に装着される光アダプタは、パネルに貫通状に装着された光アダプタをパネルに固定する為の取付け用金具を設け、この取付け用金具は、請求項１と同様に構成されているため、光アダプタを取付け用金具を介してパネルに装着した装着状態においては、外周枠部のうちの対面部分がパネルの貫通孔の内面に対面し、その対面部分に形成された湾曲状係合部が貫通孔の内面の少なくとも一部に弾性的に係合するため、その湾曲状係合部で貫通孔と光アダプタとの間の隙間が解消され、光アダプタのパネルに対するガタツキが防止される。
【００１６】
請求項４の光アダプタは、請求項３の考案において、前記湾曲状係合部は、外周枠部のうちの湾曲状係合部以外の部分よりも、外側へ膨らんだほぼ「く」字状に形成されたものである。
【００１７】
請求項５の光アダプタは、パネルに貫通状に装着される光アダプタにおいて、光アダプタの外面部に切り起こし状の弾性係止爪と、光アダプタをパネルに貫通状に装着する貫通孔の内面に対面する対面部分に、貫通孔の内面の少なくとも一部に弾性的に係合する湾曲状係合部であって外面部よりも外側へ膨らんだほぼ「く」字状の湾曲状係合部とを一体形成したものである。
【００１８】
パネルに貫通状に装着される光アダプタは、その外面部に、切り起こし状の弾性係止爪と、外面部よりも外側へ膨らんだほぼ「く」字状の湾曲状係合部が形成されているので、前記請求項３及び請求項４と同様に作用する。
【考案の効果】
【００１９】
請求項１の考案によれば、光アダプタの外面部に配設されパネルに貫通状に装着される光アダプタをパネルに固定する為の光アダプタ取付け用金具において、連結板部と、この連結板部の両端から直角に屈曲されて延びた１対の対向する側板部とを備え、各側板部に、外周枠部と、この外周枠部の上側部分を切り起した弾性係止爪とを有し、外周枠部のうちのパネルの貫通孔の内面に対面する対面部分に、貫通孔の内面の少なくとも一部に弾性的に係合する湾曲状係合部を形成したので、取付け用金具を光アダプタの外面部に配設し、光アダプタを取付け用金具を介してパネルに装着した装着状態においては、外周枠部のうちの貫通孔の内面に対面する対面部分に湾曲状係合部が形成され、その湾曲状係合部の弾性力により貫通孔と光アダプタとの間の隙間が解消されるため、光アダプタのパネルに対するガタツキを確実に防止することができる。
【００２０】
この場合、光アダプタのハウジングに何ら変更を加えてはいないので、ハウジングとして従来のものを適用することができ、コスト的にも有利である。また、ハウジングのフランジ部を小型化できるため、光アダプタの外形寸法が小さくなり、光アダプタをパネルへ取付ける取付け密集度の拡大化が可能になる。しかも、ビス止め作業の必要がなく、取付け作業の簡単化が図れ、作業能率をより一層向上させることができる。
【００２１】
請求項２の考案によれば、前記湾曲状係合部は、外周枠部のうちの湾曲状係合部以外の部分よりも、外側へ膨らんだほぼ「く」字状に形成されたので、その外側に膨らんだ「く」字状の斜面がパネルの貫通孔の内面端部に湾曲状係合部の弾性力により押圧接触することで、光アダプタがその斜面により移動して、光アダプタのフランジ部とパネルとが密着状に押圧接触するようになり、フランジ部とパネルとの間のガタつきをも防止することができる。その他請求項１と同様の効果を奏する。
【００２２】
請求項３の考案によれば、パネルに貫通状に装着される光アダプタは、この光アダプタをパネルに固定する為の取付け用金具を設け、この取付け用金具は、請求項１と同様に構成されているため、請求項１と同様の効果を奏することができる。
【００２３】
請求項４の考案によれば、前記湾曲状係合部は、外周枠部のうちの湾曲状係合部以外の部分よりも、外側へ膨らんだほぼ「く」字状に形成されたので、前記請求項２と同様の効果を奏することができ、その他請求項３と同様の効果を奏する。
【００２４】
請求項５の考案によれば、パネルに貫通状に装着される光アダプタにおいて、光アダプタの外面部に切り起こし状の弾性係止爪と、光アダプタをパネルに貫通状に装着する貫通孔の内面に対面する対面部分に、貫通孔の内面の少なくとも一部に弾性的に係合する湾曲状係合部であって外面部よりも外側へ膨らんだほぼ「く」字状の湾曲状係合部とを一体形成したので、前記請求項３と同様の効果を奏する。
【００２５】
また、湾曲状係合部は、光アダプタの外面部よりも外側へ膨らんだほぼ「く」字状に形成されているので、前記請求項４と同様の効果を奏する。更に、取付け用金具が不要であるため、光アダプタの低コスト化、パネルへの装着の簡単化を図ることができる。
【考案を実施するための最良の形態】
【００２６】
本実施例における光アダプタ取付け用金具は、連結板部の両端部に一体的に側板部を形成し、その側板部の取付けパネル側の端部に曲げ形成により形成した係止部を取付けパネルに形成された装着穴との隙間に挿入することで、取付け時のガタツキを防止するようにしてある。
【実施例】
【００２７】
以下、一般的な光アダプタに適用した場合の実施の形態について、図面を参照しながら説明する。
図１に示すように、この光アダプタ１は、光ファイバーの端部を支持したフェルールが組み込まれた１対のＬＣ型プラグを接続する為のもので、取付けパネルに貫通状に装着して固定保持されるものである。
【００２８】
光アダプタ１は、内部に前記プラグを挿入して保持可能なプラグ装着孔などを夫々有する１対の合成樹脂製のハウジング２，３と、この光アダプタ１の外面部に配設された取付け用金具４とを備えたものである。この取付け用金具４は、取付けパネルに貫通状に装着された光アダプタ１を取付けパネルに固定保持する為のものである。
【００２９】
これらハウジング２，３の各々の対峙側端部に、相互に当接するフランジ部 2ａ,3ａが夫々形成され、各ハウジング２, ３にはプラグを装着する為のプラグ装着孔 2ｂ,3ｂが夫々形成されている。ハウジング２, ３は夫々のフランジ部 2ａ,3ａの当接面を密着状に接着することで一体化されている。
【００３０】
前側のハウジング２の左側面と右側面とには、後述する取付け用金具４の側板部６，７を係合させるために段落ちさせた矩形状の係合段落ち面２ｃが夫々中央部に形成されている。但し、矩形状の係合段落ち面２ｃが形成された外周側に、一段高い矩形枠状の外周壁部２ｄが夫々形成され、その外周壁部２ｄの下端部の前後方向中央部に、後述する取付け用金具４の連結板部５の角部を係合させる為に、係合段落ち面２ｃに連なる係合切欠き部２ｅが夫々形成されている。ここで、ハウジング２, ３の接着されたフランジ部２ａ,3ａの左右方向寸法は小さくなっている。
【００３１】
図１〜図３に示すように、取付け用金具４は、薄板（例えば、厚さ約0.3 〜0.6mm)のバネ鋼板を曲げ形成した一体品である。取付け用金具４は、左右方向に長い帯状の連結板部５と、この連結板部５の左右両端から夫々直角に上側に曲げ形成された１対の対向する側板部６，７と、これら側板部６，７の各々に切り起こし形成された１対の弾性係止爪６ａ，７ａとを一体形成したものである。
【００３２】
図１〜図３に示すように、左側の側板部６は矩形形状であり、その中央部分を傾斜状に徐々に切り起こして矩形状の弾性係止爪６ａが形成され、その弾性係止爪６ａを切り起こした外周部に外周枠部６ｂが形成されている。但し、弾性係止爪６ａの前端部は外周枠部６ｂの前側に連結され、弾性係止爪６ａの後端側部分（自由端側部分) が側板部６から外側へ飛び出し、弾性変形可能になっている。
【００３３】
図２，図３に示すように、外周枠部６ｂの後端側部分に、光アダプタ１を取付けパネル１０の貫通孔１０ａに装着した際に貫通孔１０ａの内面に対面する対面部分６ｃが形成され、この対面部分６ｃに、貫通孔１０ａの内面の前端に弾性的に係合する湾曲状係合部６ｄであって、外周枠部６ｂのうちの湾曲状係合部６ｄ以外の部分よりも、外側へ膨らんだほぼ「く」字状に曲げ形成された湾曲状係合部６ｄが形成されている。
【００３４】
即ち、その湾曲状係合部６ｄは、後方に向けて外側に大きく屈曲する第１傾斜部６ｅとこの第１傾斜部６ｅに連続して内側に屈曲する第２傾斜部６ｆとからなっている。但し、第１傾斜部６ｅの長さよりも第２傾斜部６ｆの長さの方が長く形成され、取付けパネル１０の厚さが多少増減しても、第２傾斜部６ｆが取付けパネル１０の貫通孔１０ａの内面の前端に必ず接触できるようになっている。
【００３５】
一方、右側の側板部７も左側の側板部６と同様に、矩形状に構成され、その中央部分に弾性係止爪７ａと外周枠部７ｂとが形成されている。また、外周枠部７ｂの後端側部分である対面部分７ｃに、貫通孔１０ａの内面の前端に弾性的に係合する湾曲状係合部７ｄであって、外周枠部７ｂのうちの湾曲状係合部７ｄ以外の部分よりも、外側へ膨らんだほぼ「く」字状に曲げ形成された湾曲状係合部７ｄであって、第１傾斜部７ｅと第２傾斜部７ｆとからなる湾曲状係合部７ｄが形成されている。
【００３６】
ここで、光アダプタ１を取付ける為の取付けパネル１０について簡単に説明しておく。図４に示すように、取付けパネル１０は、厚さ約1.6mm のアルミニウム板の両面に防錆被膜を形成したものである。取付けパネル１０には、光アダプタ１を１列状に装着する複数の矩形状の貫通孔１０ａが形成されている。各貫通孔１０ａの大きさは、例えば、縦寸法（図において前後方向長さ)9.5mm×横寸法（図において左右方向長さ) 13.1mmである。
【００３７】
次に、光アダプタ１を取付けパネル１０の貫通孔１０ａに固定する作用及び効果について説明する。但し、光アダプタ１を取付けパネル１０に取付けるのに先立って、取付け用金具４を光アダプタ１の外面部に取付けておく。その為には、先ず、図２に示すように、組み立て作業者が、連結板部５を下向きで、しかも１対の側板部６，７が係合段落ち面２ｃに夫々対応する姿勢で取付け用金具４を保持し、図１に示すように、１対の側板部６，７を対応する係合段落ち面２ｃに夫々嵌め込む。
【００３８】
このとき、連結板部５の左右の角部が対応する係合切欠き部２ｅに夫々嵌まる為、取付け用金具４が光アダプタ１の外面部に取付けられる。その為、取付け用金具４は光アダプタ１に対して上下方向と左右方向だけでなく、前後方向にも相対移動不能となり、取付け用金具４を光アダプタ１に一体的に取付けることができる。
【００３９】
そして、光アダプタ１を取付けパネル１０に固定する場合には、先ず、組み立て作業者がハウジング２側を手前側に向けた状態で、光アダプタ１を取付けパネル１０の貫通孔１０ａに、向こう側から手前方向に挿入すると、左右１対の弾性係止爪６ａ，７ａが夫々内側に弾性変形しながら貫通孔１０ａの内部を通過した後、１対の弾性係合爪６ａ，７ａがその弾性力で元の切り起こし姿勢に夫々復帰する。
【００４０】
それ故、図５に示すように、弾性係合爪６ａ，７ａの後端が取付けパネル１０の前面に手前側から当接して、光アダプタ１は、取付けパネル１０に固定された状態になり、最早、取付けパネル１０から外れることはない。この装着状態においては、外周枠部６ｂ，７ｂの対面部分６ｃ，７ｃが取付けパネル１０の貫通孔１０ａの内面に対面し、その対面部分６ｃ，７ｃに湾曲状係合部６ｄ，７ｄが夫々形成されているため、図６に示すように、その湾曲状係合部６ｄ，７ｄの第２傾斜部６ｆ，７ｆが光アダプタ１側に弾性変形した状態で、貫通孔１０ａの内面の前端に押圧状態で夫々係合している。
【００４１】
即ち、左右１対の第２傾斜部６ｆ，７ｆが夫々対応する貫通孔１０ａの内面の前端に押圧状態で接触しているので、貫通孔１０ａと光アダプタ１との間の左右方向の隙間ｔが確実に解消され、光アダプタ１の取付けパネル１０に対する左右方向のガタツキを確実に防止することができる。
【００４２】
更に、外側に膨らんだ第２傾斜部６ｆ，７ｆが取付けパネル１０の貫通孔１０ａの内面端部に湾曲状係合部６ｄ，７ｄの弾性力により夫々押圧接触することで、光アダプタ１がその斜面により前方に移動するようになり、光アダプタ１のフランジ部２ａと取付けパネル１０とが密着状に押圧接触するようになり、フランジ部２ａと取付けパネル１０との間のガタツキ、つまり前方方向のガタツキをも確実に防止することができる。
【００４３】
このように、取付け用金具４を用いて光アダプタ１を取付けパネル１０に貫通状に装着する際に、取付け時の左右方向のガタツキだけでなく、前後方向におけるガタツキをも確実に防止することができる。しかも、専用のハウジングを何ら必要とせず、安価でしかもネジ止めを省略でき、光アダプタ１を取付けパネル１０へ装着する装着作業の簡単化及び迅速化を図ることができる。更に、ハウジング２，３のフランジ部２ａ，３ａを小型化できるため、光アダプタ１の外形寸法が小さくなり、光アダプタ１を取付けパネル１０へ取付ける取付け密集度の拡大化が可能になる。
【００４４】
次に、前記実施の形態の変更形態について説明する。
１〕取付け用金具４Ａにおける側板部６Ａ，７Ａに設ける湾曲状係合部６ｇ，７ｇの形状を、図７に示すように、部分的に変更するようにしてもよい。即ち、左右１対の湾曲状係合部６ｇ，７ｇに形成された第１傾斜部６ｈ，７ｈに連続する第２傾斜部６ｉ，７ｉが、側板部６Ａ，７Ａと平行な方向に延びるように夫々形成されている。
【００４５】
この場合にも、前述した実施例と同様に、その湾曲状係合部６ｇ，７ｇが光アダプタ１側に弾性変形した状態で、貫通孔１０ａの内面のほぼ全体に押圧状態で係合し、貫通孔１０ａと光アダプタ１との間の左右方向の隙間ｔが確実に解消され、光アダプタ１の取付けパネル１０に対する左右方向のガタツキを確実に防止することができる。
【００４６】
２〕取付け用金具４Ｂにおける湾曲状係合部６ｊ，７ｊの形状を、図８に示すように、部分的に変更するようにしてもよい。即ち、左右１対の湾曲状係合部６ｊ，７ｊの全体が外側に湾曲状に夫々曲げ形成されている。この場合にも、前述した実施例と同様に、その湾曲状係合部６ｊ，７ｊが光アダプタ１側に弾性変形した状態で、貫通孔１０ａの内面に押圧状態で係合し、貫通孔１０ａと光アダプタ１との間の左右方向の隙間ｔが確実に解消され、光アダプタ１の取付けパネル１０に対する左右方向のガタツキを確実に防止することができる。
【００４７】
３〕前述した光アダプタ１を部分的に変更し、光アダプタ１Ａの外面部に、左右１対の弾性係合爪と、左右１対の湾曲状係合部とを一体的に形成するようにしてもよい。但し、変更部分以外の前記実施例と同様の部材については、同じ符号を附す。
【００４８】
即ち、図９に示すように、前側のハウジング２Ａの外面部である左側面と右側面において、前記実施例に用いた弾性係合爪６ａ，７ａと同様に、切り起こし状の弾性係合爪６ｍ（左側面だけを図示）が夫々一体的に形成されている。
【００４９】
更に、ハウジング２Ａの外面部である左側面と右側面のうちの後端部であり、光アダプタ１Ａを取付けパネル１０の貫通孔１０ａに装着した際に貫通孔１０ａの内面に対面する対面部分２ｆに、貫通孔１０ａの内面の前端に弾性的に係合する湾曲状係合部６ｎ（左側面だけを図示）であって、外面部よりも、外側へ膨らんだほぼ「く」字状に曲げ形成された湾曲状係合部６ｍ（左側面だけを図示）が夫々一体的に形成されている。
【００５０】
このように、光アダプタ１Ａはその外面部に、左右１対の弾性係合爪６ｍと、左右１対の湾曲状係合部６ｎとを一体的に形成したので、前記実施例と同様の作用及び効果を奏することができる。更に、取付け用金具が不要であるため、光アダプタ１Ａの低コスト化、取付けパネル１０への装着の簡単化を図ることができる。
【００５１】
４〕前記実施例に係る光アダプタ取付け用金具４及び光アダプタ１は、前述した構造に限定されるものではなく、種々の変更を付加した形態で実施可能であり、ＳＣ形プラグを接続する光アダプタ１に限らず、ＭＵ形プラグ又はＬＣ形プラグを接続する光アダプタ１にも、本考案を適用可能であることは勿論である。
【図面の簡単な説明】
【００５２】
【図１】本考案の実施例に係る光アダプタの斜視図である。
【図２】本考案に係る光アダプタ取付け用金具の斜視図である。
【図３】光アダプタ取付け用金具の平面図である。
【図４】取付けパネルの部分平面図である。
【図５】取付けパネルに固定した光アダプタの平面図である。
【図６】取付けパネルに固定した光アダプタの部分拡大平面図である。
【図７】変更形態に係る図３相当図である。
【図８】変更形態に係る図３相当図である。
【図９】変更形態に係る図１相当図である。
【符号の説明】
【００５３】
１      光アダプタ
１Ａ    光アダプタ
４      取付け用金具
４Ａ    取付け用金具
４Ｂ    取付け用金具
５      連結板部
６      側板部
６Ａ    側板部
６Ｂ    側板部
６ａ    弾性係止爪
６ｂ    外周枠部
６ｃ    対面部分
６ｄ    湾曲状係合部
６ｆ    第２傾斜部
６ｇ    湾曲状係合部
６ｈ    第１傾斜部
６ｉ    第２傾斜部
６ｊ    湾曲状係合部
６ｍ    弾性係止爪
６ｎ    湾曲状係合部
７      側板部
７Ａ    側板部
７Ｂ    側板部
７ａ    弾性係止爪
７ｂ    外周枠部
７ｃ    対面部分
７ｄ    湾曲状係合部
７ｆ    第２傾斜部
７ｇ    湾曲状係合部
７ｈ    第１傾斜部
７ｉ    第２傾斜部
７ｊ    湾曲状係合部
１０    取付けパネル
１０ａ  貫通孔
【図１】
0003111711.tif 000003
【図２】
0003111711.tif 000004
【図３】
0003111711.tif 000005
【図４】
0003111711.tif 000006
【図５】
0003111711.tif 000007
【図６】
0003111711.tif 000008
【図７】
0003111711.tif 000009
【図８】
0003111711.tif 000010
【図９】
0003111711.tif 000011